(57)【要約】【課題】野縁を野縁受けに固定する固定具が野縁受けから外れるのを抑制することが可能な天井構造及び固定具を提供する。【解決手段】固定具５０は、互いに別体として構成される第一固定具１００及び第二固定具２００を有し、記第一固定具１００及び第二固定具２００は、それぞれ野縁４０のリップ部４１を下方から支持するための支持部を有し、第一固定具１００の引っ掛け部１２３（支持部）は、リップ部４１と当接して設けられ、第二固定具２００の引っ掛け部２３３（支持部）は、リップ部４１の下方にリップ部４１から離間して設けられる。【選択図】図１６
2019065491.tif 000002
【特許請求の範囲】
【請求項１】
リップ部を有する野縁と、
前記野縁を上方から受ける野縁受けと、
前記野縁受けに取り付けられ、前記野縁を前記野縁受けに固定する固定具と、
を具備する天井構造であって、
前記固定具は、
互いに別体として構成される第一固定具及び第二固定具を有し、
前記第一固定具及び前記第二固定具は、
それぞれ前記リップ部を下方から支持するための支持部を有し、
前記第一固定具の支持部は、
前記リップ部と当接して設けられ、
前記第二固定具の支持部は、
前記リップ部の下方に前記リップ部から離間して設けられる、
ことを特徴とする天井構造。
【請求項２】
前記第一固定具及び前記第二固定具は、
それぞれ前記野縁受けに取り付けられるための取付部を有し、
前記第二固定具の取付部は、
上方から嵌め込まれることにより、前記第一固定具の取付部を介して前記野縁受けに取り付けられる、
ことを特徴とする請求項１に記載の天井構造。
【請求項３】
前記第一固定具の支持部は、
前記第一固定具の取付部の前記野縁受けの幅方向の一側から下方へ延びた側板の下部に設けられ、
前記第二固定具の支持部は、
前記第二固定具の取付部の前記野縁受けの幅方向の他側から下方へ延びた側板の下部に設けられ、
前記第一固定具の側板及び前記第二固定具の側板は、
前記野縁受けを前記野縁受けの幅方向内側に挟持する、
ことを特徴とする請求項１または請求項２に記載の天井構造。
【請求項４】
野縁受けに取り付けられ、リップ部を有する野縁を前記野縁受けに固定する固定具であって、
互いに別体として構成される第一固定具及び第二固定具を有し、
前記第一固定具及び前記第二固定具は、
それぞれ前記リップ部を下方から支持するための支持部を有し、
前記第一固定具の支持部は、
前記リップ部と当接して設けられ、
前記第二固定具の支持部は、
前記リップ部の下方に前記リップ部から離間して設けられる、
ことを特徴とする固定具。
【発明の詳細な説明】
【技術分野】
【０００１】
本発明は、野縁を野縁受けに固定する天井構造及び固定具の技術に関する。
【背景技術】
【０００２】
従来、野縁を野縁受けに固定する天井構造及び固定具の技術は公知となっている。例えば、特許文献１に記載の如くである。
【０００３】
特許文献１に記載される天井構造において、固定具（クリップ）は、その上部に形成される爪片部と、その下部に形成される両係止片と、を具備する。前記固定具は、爪片部を野縁受けの上部に引っ掛けると共に、両係止片を野縁に形成される屈曲部に係止させることで、野縁を野縁受けに固定する。
【０００４】
このように構成される特許文献１に記載される固定具は、爪片部を野縁受けに引っ掛けているため、地震等が発生して天井が揺れた場合に、野縁が野縁受けから外れ、天井が容易に脱落する可能性がある。
【先行技術文献】
【特許文献】
【０００５】
【特許文献１】特開２００８−２５２７１号公報
【発明の概要】
【発明が解決しようとする課題】
【０００６】
本発明は、以上の如き状況を鑑みてなされたものであり、その解決しようとする課題は、野縁を野縁受けに固定する固定具が野縁受けから外れるのを抑制することが可能な天井構造及び固定具を提供するものである。
【課題を解決するための手段】
【０００７】
本発明の解決しようとする課題は以上の如くであり、次にこの課題を解決するための手段を説明する。
【０００８】
即ち、請求項１においては、リップ部を有する野縁と、前記野縁を上方から受ける野縁受けと、前記野縁受けに取り付けられ、前記野縁を前記野縁受けに固定する固定具と、を具備する天井構造であって、前記固定具は、互いに別体として構成される第一固定具及び第二固定具を有し、前記第一固定具及び前記第二固定具は、それぞれ前記リップ部を下方から支持するための支持部を有し、前記第一固定具の支持部は、前記リップ部と当接して設けられ、前記第二固定具の支持部は、前記リップ部の下方に前記リップ部から離間して設けられるものである。
【０００９】
請求項２においては、前記第一固定具及び前記第二固定具は、それぞれ前記野縁受けに取り付けられるための取付部を有し、前記第二固定具の取付部は、上方から嵌め込まれることにより、前記第一固定具の取付部を介して前記野縁受けに取り付けられるものである。
【００１０】
請求項３においては、前記第一固定具の支持部は、前記第一固定具の取付部の前記野縁受けの幅方向の一側から下方へ延びた側板の下部に設けられ、前記第二固定具の支持部は、前記第二固定具の取付部の前記野縁受けの幅方向の他側から下方へ延びた側板の下部に設けられ、前記第一固定具の側板及び前記第二固定具の側板は、前記野縁受けを前記野縁受けの幅方向内側に挟持するものである。
【００１１】
請求項４においては、野縁受けに取り付けられ、リップ部を有する野縁を前記野縁受けに固定する固定具であって、互いに別体として構成される第一固定具及び第二固定具を有し、前記第一固定具及び前記第二固定具は、それぞれ前記リップ部を下方から支持するための支持部を有し、前記第一固定具の支持部は、前記リップ部と当接して設けられ、前記第二固定具の支持部は、前記リップ部の下方に前記リップ部から離間して設けられるものである。
【発明の効果】
【００１２】
本発明の効果として、以下に示すような効果を奏する。
【００１３】
請求項１においては、野縁を野縁受けに固定する固定具が野縁受けから外れるのを抑制することができる。
【００１４】
請求項２においては、施工性を向上させることができる。
【００１５】
請求項３においては、野縁を野縁受けに固定する固定具が野縁受けから外れるのを、より効果的に抑制することができる。
【００１６】
請求項４においては、野縁受けから外れるのを抑制することができる。
【図面の簡単な説明】
【００１７】
【図１】第一実施形態に係る取付具を具備する天井構造を示した正面図。
【図２】固定具により野縁が野縁受けに固定された状態を示した斜視図。
【図３】（ａ）第一固定具を示した平面図。（ｂ）同じく、背面図。
【図４】（ａ）第一固定具を示した側面図。（ｂ）取り付け前（変形前）の第一固定具を示した側面図。
【図５】（ａ）第二固定具を示した側面図。（ｂ）同じく、平面図。（ｃ）同じく、正面図。
【図６】第一固定具を取り付ける様子を示した斜視図。
【図７】（ａ）第一固定具と野縁との関係を示した平面図。（ｂ）同じく、図７（ａ）の続きを示した平面図。
【図８】図６の続きを示した斜視図。
【図９】図８の続きを示した斜視図。
【図１０】第二固定具を取り付ける様子を示した斜視図。
【図１１】（ａ）第二固定具と野縁との関係を示した平面図。（ｂ）同じく、図１１（ａ）の続きを示した正面図。（ｃ）同じく、図１１（ｂ）の続きを示した正面図。
【図１２】固定具（第一固定具及び第二固定具）により野縁が野縁受けに固定された状態を示した正面図。
【図１３】固定具により野縁が野縁受けに固定された状態を示した背面図。
【図１４】固定具により野縁が野縁受けに固定された状態を示した一部断面側面図。
【図１５】（ａ）固定具により野縁が野縁受けに固定された状態を示した一部拡大背面図。（ｂ）固定具により野縁が野縁受けに固定された状態を示した一部拡大正面図。
【図１６】固定具により野縁が野縁受けに固定された状態を示した一部拡大断面側面図。
【図１７】（ａ）図１５（ａ）に示す状態から、地震により固定具（第一固定具）が変形した状態を示した一部拡大正面図。（ｂ）図１５（ｂ）に示す状態から、地震により第一固定具が変形した状態を示した一部拡大背面図。
【図１８】図１６に示す状態から、地震により第一固定具が変形した状態を示した一部拡大断面側面図。
【図１９】固定具として、第一固定具のみを使用した場合、第一固定具及び第二固定具を互いに隙間がある状態で使用した場合、第一固定具及び第二固定具を互いに隙間がない状態で使用した場合の、各場合における耐力及び変形の関係を示す図。
【図２０】別実施形態に係る第一固定具を示した斜視図。
【発明を実施するための形態】
【００１８】
以下の説明においては、図中に記した矢印に従って、上下方向、左右方向及び前後方向をそれぞれ定義する。
【００１９】
以下では、図１及び図２を用いて、本発明の一実施形態に係る固定具５０を具備する天井構造１について説明する。
【００２０】
図１に示す天井構造１は、建物の天井を形成するためのものである。天井構造１は、例えば、店舗等の建物に採用される。天井構造１は、吊りボルト１０、ハンガー２０、野縁受け３０、野縁４０及び固定具５０を具備する。
【００２１】
吊りボルト１０は、躯体Ａから吊り下げられるものである。吊りボルト支持金具を用いて鋼材に取り付けられることで躯体Ａに固定される（不図示）。吊りボルト１０は、左右方向及び前後方向に間隔をあけて複数設けられる。
【００２２】
ハンガー２０は、後述する野縁受け３０を支持するためのものである。ハンガー２０は、側面視略Ｊ字状に形成され、吊りボルト１０の下端部に固定される。これにより、ハンガー２０は、１つの吊りボルト１０に対して１つ設けられ、左右方向及び前後方向に間隔をあけて配置される。
【００２３】
野縁受け３０は、後述する野縁４０を支持するためのものである。野縁受け３０は、その長手方向を左右方向に向けた長尺状に形成される。また、野縁受け３０は、側面視略Ｃ字状に形成される。野縁受け３０は、上方から野縁４０を受けることができる。野縁受け３０は、ウェブ３１、上フランジ３２及び下フランジ３３を具備する。
【００２４】
ウェブ３１は、その板面を前後方向へ向けて配置される略板状の部分である。上フランジ３２は、ウェブ３１の上端部から前方へ突出する略板状の部分である。下フランジ３３は、ウェブ３１の下端部から前方へ突出する略板状の部分である。
【００２５】
このように構成される野縁受け３０は、左右方向に間隔をあけて配置される複数のハンガー２０を跨ぐように配置され、当該複数のハンガー２０に支持される。また、野縁受け３０は、前後方向に間隔をあけて複数設けられる。なお、本実施形態においては、前後方向（野縁受け３０の長手方向及び上下方向に直交する方向）が、野縁受け３０の幅方向となっている。
【００２６】
野縁４０は、天井板（不図示）を支持するためのものである。野縁４０は、その長手方向を前後方向に向けた長尺状に形成される。野縁４０は、その上部が開口する正面視略Ｕ字状に形成される。野縁４０は、リップ部４１を具備する。
【００２７】
リップ部４１は、野縁４０に左右一対設けられ、野縁４０の上端部から左右方向内側へ突出するように形成される。リップ部４１には、その左右方向内側の端部からそれぞれ下方へ突出する返し部４１ａが形成される。
【００２８】
このように構成される野縁４０は、野縁受け３０の下方において、当該野縁受け３０と直交するように配置される。また、野縁４０は、前後に配置された複数の野縁受け３０を跨ぐように配置される（不図示）。このような野縁４０は、左右方向に間隔をあけて複数設けられる。なお、本実施形態に係る野縁４０は、シングル野縁である。
【００２９】
固定具５０は、野縁４０を野縁受け３０に固定するためのものである。固定具５０は、野縁受け３０に取り付けられる。固定具５０は、天井構造１において、野縁受け３０及び野縁４０が交差する箇所に設けられる。固定具５０は、互いに別体である２つの部材により構成される。より詳細には、固定具５０は、第一固定具１００及び第二固定具２００により構成される。第一固定具１００及び第二固定具２００は、それぞれ一枚の板状の金属部材を適宜折り曲げることにより形成されている。
【００３０】
以下では、第一固定具１００及び第二固定具２００の構成について詳細に説明する。
【００３１】
まず、図３及び図４を用いて、第一固定具１００の構成について詳細に説明する。
【００３２】
第一固定具１００は、頂部１１０及び側壁１２０を具備する。なお、第一固定具１００は、後述するように、野縁受け３０に取り付けられる際、所定の取り付け位置に配置された当該第一固定具１００の一部分（後述する頂部１１０）が、作業者によって折り曲げられる。こうして、第一固定具１００は、その一部分が折り曲げられることによって、野縁受け３０に取り付けられる。このように、第一固定具１００は、野縁受け３０への取り付け前後で、全体としての形状が変化する。そこで、以下では、特に断りが無ければ、変形後（取り付け後）の第一固定具１００の構成について説明するものとする。
【００３３】
頂部１１０は、第一固定具１００の上端部に形成される部分である。頂部１１０は、第一頂部１１１及び第二頂部１１２を具備する。
【００３４】
第一頂部１１１は、頂部１１０のうち、板面を上下方向へ向けた部分である。第一頂部１１１は、平面視で略矩形状に形成される。
【００３５】
第二頂部１１２は、頂部１１０のうち、板面を後上前下方向へ向けた部分である。第二頂部１１２は、第一頂部１１１の前端部から後下方に延びるように形成される。第二頂部１１２の前端部は、第一頂部１１１の前端部に一体的に接続される。
【００３６】
頂部１１０は、上述の如く、第一固定具１００が野縁受け３０に取り付けられる際、作業者によって折り曲げられて形成される。このように、頂部１１０（第一頂部１１１及び第二頂部１１２）は、後述するように、いわゆる取付部として、第一固定具１００を野縁受け３０に取り付ける際に使用される。
【００３７】
なお、図４（ｂ）に示すように、変形前（取り付け前）において、頂部１１０は、第二頂部１１２と第一頂部１１１とが前後に連なって延びるように形成される。このように、変形前（取り付け前）において、頂部１１０は、全体として板面を上下方向へ向けた略平板状に形成される。
【００３８】
側壁１２０は、第一固定具１００のうち、頂部１１０以外の部分である。側壁１２０は、板面を前後方向へ向けた略平板状に形成される。側壁１２０は、背面視で上下方向を長手方向とした略矩形状に形成される。側壁１２０は、頂部１１０から下方に延びるように形成される。側壁１２０の上端部は、第一頂部１１１の後端部に一体的に接続される。側壁１２０は、切欠部１２１、凸部１２２及び引っ掛け部１２３を具備する。
【００３９】
切欠部１２１は、側壁１２０を切り欠いたように形成された部分である。切欠部１２１は、側壁１２０の下端部近傍に形成される。切欠部１２１は、側壁１２０に左右一対形成される。
【００４０】
凸部１２２は、側壁１２０から前方へ突出する部分である。凸部１２２は、側壁１２０の下端部近傍で、当該側壁１２０を前方に凹ませることで形成される。凸部１２２は、長手方向を上下方向に向けた背面視で略トラック状に形成される。凸部１２２の上端部は、切欠部１２１の上端部よりも上方に形成される。また、凸部１２２の下端部は、切欠部１２１の下端部よりも下方に形成される。なお、凸部１２２の形状は、上述の如く略トラック状に限定するものではない。
【００４１】
引っ掛け部１２３は、野縁４０のリップ部４１に引っ掛け可能な部分である。引っ掛け部１２３は、後述するように、野縁４０のリップ部４１を下方から支持する。引っ掛け部１２３は、側壁１２０の左下端部及び右下端部（より詳細には、切欠部１２１の下方の部分）が、それぞれ後方へ折り曲げられることによって形成されている。こうして、引っ掛け部１２３は、側壁１２０に左右一対形成される。引っ掛け部１２３は、略板状に形成される。引っ掛け部１２３は、側壁１２０から後方へ突出するように形成される。
【００４２】
また、引っ掛け部１２３は、下方に向かうにつれて第一固定具１００の左右方向内側（互いに近接する方向）に延びるように形成される。こうして、左右の引っ掛け部１２３は、左右方向の間隔が下方に向かうにつれて小さくなるように形成される。具体的には、左右の引っ掛け部１２３は、下端部における左右方向の間隔が、野縁４０の左右のリップ部４１の左右方向の間隔よりも小さくなるように形成される。また、左右の引っ掛け部１２３は、上端部における左右方向の間隔が、左右のリップ部４１の左右方向の間隔よりも大きくなるように形成される。こうして、左右の引っ掛け部１２３の上下方向中途部において、当該左右の引っ掛け部１２３の左右方向の間隔（互いに近接する方向の間隔）は、左右のリップ部４１の左右方向の間隔よりも大きくなるように形成される。
【００４３】
次に、図５を用いて、第二固定具２００の構成について詳細に説明する。
【００４４】
第二固定具２００は、頂部２１０、前後の側壁（後側壁２２０及び前側壁２３０）及び取付部２４０を具備する。本実施形態において、第二固定具２００は、上述の如き第一固定具１００と略同様の構成を有する。なお、第二固定具２００において、第一固定具１００と構成が大きく異なるのは、第二固定具２００は野縁受け３０への取り付け前後で、全体としての形状が略変化しないことである。
【００４５】
頂部２１０は、第二固定具２００の上端部に形成される部分である。頂部２１０は、平面視で略矩形状に形成される。
【００４６】
後側壁２２０は、第二固定具２００の前後（２つ）の側壁のうち、後側に形成された側壁である。後側壁２２０は、第一後側壁２２１及び第二後側壁２２２を具備する。
【００４７】
第一後側壁２２１は、後側壁２２０のうち、板面を前後方向へ向けた部分である。第一後側壁２２１は、頂部２１０の後端部から下方に延びるように形成される。第一後側壁２２１の上端部は、頂部２１０の後端部に一体的に接続される。
【００４８】
第二後側壁２２２は、後側壁２２０のうち、板面を後上前下方向へ向けた部分である。第二後側壁２２２は、第一後側壁２２１の下端部から後下方に延びるように形成される。すなわち、第二後側壁２２２は、下方へ向かうにつれて、前後方向における前側壁２３０との間隔が大きくなるように形成される。第二後側壁２２２の上端部は、第一後側壁２２１の下端部に一体的に接続される。
【００４９】
前側壁２３０は、第二固定具２００の前後（２つ）の側壁のうち、前側に形成された側壁である。前側壁２３０は、板面を前後方向へ向けた略平板状に形成される。前側壁２３０は、正面視で上下方向を長手方向とした略矩形状に形成される。前側壁２３０は、頂部２１０の前端部から下方に延びるように形成される。前側壁２３０の上端部は、頂部２１０の前端部に一体的に接続される。
【００５０】
前側壁２３０は、切欠部２３１、凸部２３２及び引っ掛け部２３３を具備する。
【００５１】
切欠部２３１は、前側壁２３０を切り欠いたように形成された部分である。切欠部２３１は、前側壁２３０の下部近傍に形成される。切欠部２３１は、前側壁２３０に左右一対形成される。
【００５２】
凸部２３２は、前側壁２３０から後方へ突出する部分である。凸部２３２は、前側壁２３０の下端部近傍で、当該前側壁２３０を後方に凹ませることで形成される。凸部２３２は、長手方向を上下方向に向けた正面視で略トラック状に形成される。凸部２３２の上端部は、切欠部２３１の上端部よりも上方に形成される。また、凸部２３２の下端部は、切欠部２３１の下端部よりも下方に形成される。なお、凸部２３２の形状は、上述の如く略トラック状に限定するものではない。
【００５３】
引っ掛け部２３３は、野縁４０のリップ部４１に引っ掛け可能な部分である。引っ掛け部２３３は、後述するように、野縁４０のリップ部４１を下方から支持する。引っ掛け部２３３は、前側壁２３０の左下端部及び右下端部（より詳細には、切欠部２３１の下方の部分）が、それぞれ前方へ折り曲げられることによって形成されている。こうして、引っ掛け部２３３は、前側壁２３０に左右一対形成される。引っ掛け部２３３は、略板状に形成される。引っ掛け部２３３は、前側壁２３０から前方へ突出するように形成される。
【００５４】
また、引っ掛け部２３３は、下方に向かうにつれて第二固定具２００の左右方向内側に延びるように形成される。こうして、左右の引っ掛け部２３３は、左右方向の間隔が下方に向かうにつれて小さくなるように形成される。具体的には、左右の引っ掛け部２３３は、下端部における左右方向の間隔が、野縁４０の左右のリップ部４１の左右方向の間隔よりも小さくなるように形成される。また、左右の引っ掛け部２３３は、上端部における左右方向の間隔が、左右のリップ部４１の左右方向の間隔よりも大きくなるように形成される。こうして、左右の引っ掛け部２３３の上下方向中途部において、当該左右の引っ掛け部２３３の左右方向の間隔（互いに近接する方向の間隔）は、左右のリップ部４１の左右方向の間隔よりも大きくなるように形成される。
【００５５】
取付部２４０は、第二固定具２００の上部に設けられた空間を有する部分である。具体的には、取付部２４０は、頂部２１０、後側壁２２０、及び、前側壁２３０の上部（より詳細には、前側壁２３０のうち、後側壁２２０と前後方向に対向する部分）によって構成される。取付部２４０が有する前記空間は、左右方向及び下方向に開放される。取付部２４０は、第二固定具２００を野縁受け３０に取り付ける際に使用される。取付部２４０の上部の前後方向の間隔（具体的には、前側壁２３０と後側壁２２０の第一後側壁２２１との前後方向の間隔）は、第一固定具１００の第一頂部１１１の前後方向の間隔よりも若干小さく形成される。また、取付部２４０の下部の前後方向の間隔（具体的には、前側壁２３０と後側壁２２０の第二後側壁２２２との前後方向の間隔）は、下方へ向かうにつれて徐々に大きくなるように形成される。
【００５６】
以下では、図６から図１１を用いて、固定具５０を用いて野縁４０を野縁受け３０に固定する方法について詳細に説明する。
【００５７】
なお、図６から図８において、第一固定具１００は、野縁受け３０に取り付けられる前の状態であるため、上述の如き図４（ｂ）に示した変形前（取り付け前）の構成（すなわち、頂部１１０において、第二頂部１１２と第一頂部１１１とが前後に連なって延びるように形成された構成）を有している。
【００５８】
図６に示すように、固定具５０を用いて野縁４０を野縁受け３０に固定する場合、まず最初に、固定具５０のうち、第一固定具１００が野縁受け３０に取り付けられる。
【００５９】
第一固定具１００は、野縁受け３０に取り付けられる際、所定の取り付け位置（より詳細には、野縁受け３０及び野縁４０が交差する箇所の上方）に配置される。なお、野縁受け３０及び野縁４０が交差する箇所において、野縁受け３０及び野縁４０は、上下に互いに当接するように配置されている。こうして、取り付け位置に配置された第一固定具１００は、野縁受け３０及び野縁４０に近接するように、下方へと移動される。
【００６０】
第一固定具１００は、下方へと移動される際、平面視で回転するように向きが変更される。具体的には、第一固定具１００において、左右に並ぶように配置されていた一対の引っ掛け部１２３は（図３（ａ）参照）、向きが変更された結果、図７（ａ）に示すように、前後に並ぶように配置される。
【００６１】
なお、第一固定具１００の向きを変更しない場合、左右に並ぶように配置された一対の引っ掛け部１２３は、平面視で野縁４０の左右のリップ部４１の間から外側にはみ出ている（図７（ｂ）参照）。すなわち、下方へと移動された一対の引っ掛け部１２３は野縁４０の左右のリップ部４１に当接するため、それ以上の下方への移動が妨げられることとなる。このように、第一固定具１００の向きを変更しない場合、一対の引っ掛け部１２３は上方から野縁４０の内側に侵入し難いこととなる。
【００６２】
これに対して、第一固定具１００の向きを変更した場合、前後に並ぶように配置された一対の引っ掛け部１２３は、図７（ａ）に示すように、平面視で野縁４０の左右のリップ部４１の内側に収まることとなる。すなわち、下方へと移動された一対の引っ掛け部１２３は野縁４０の左右のリップ部４１に当接しないため、下方への移動が妨げられないこととなる。このように、第一固定具１００の向きを変更した場合、一対の引っ掛け部１２３は上方から野縁４０の内側に容易に侵入することができる。
【００６３】
こうして、第一固定具１００は、一対の引っ掛け部１２３が野縁４０の内側に侵入すると、図７（ｂ）に示すように、平面視で回転するように向きが変更され、当初の向きとなる。すなわち、図８に示すように、第一固定具１００において、一対の引っ掛け部１２３が再び左右に並ぶように配置される。
【００６４】
そして、第一固定具１００は、一対の引っ掛け部１２３の上端部を野縁４０のリップ部４１と当接させると共に、頂部１１０を当該野縁受け３０の上フランジ３２と当接させた状態に配置される。こうして、上下方向における、第一固定具１００の一対の引っ掛け部１２３と頂部１１０との間には、野縁４０のリップ部４１（返し部４１ａ）及び野縁受け３０が互いに略隙間無く配置される。
【００６５】
そして、図９に示すように、第一固定具１００は、頂部１１０のうち前側部分（すなわち、第二頂部１１２）が下方へ折り曲げられる。こうして、頂部１１０が第一頂部１１１及び第二頂部１１２によって野縁受け３０の上フランジ３２に係合され、ひいては第一固定具１００が野縁受け３０に取り付けられる。
【００６６】
図１０に示すように、第一固定具１００が野縁受け３０に取り付けられると、次に、固定具５０のうち、第二固定具２００が野縁受け３０に取り付けられる。
【００６７】
第二固定具２００は、野縁受け３０に取り付けられる際、所定の取り付け位置（より詳細には、野縁受け３０及び野縁４０が交差する箇所の上方、すなわち当該野縁受け３０に取り付けられた第一固定具１００の上方）に配置される。こうして、取り付け位置に配置された第二固定具２００は、野縁受け３０、野縁４０及び第一固定具１００に近接するように、下方へと移動される。
【００６８】
第二固定具２００は、下方へと移動される際、上述の如き第一固定具１００とは異なって、向きが変更されない。すなわち、第二固定具２００において、左右に並ぶように配置されていた一対の引っ掛け部２３３は、左右に並んだままである。
【００６９】
この場合、左右に並ぶように配置された一対の引っ掛け部２３３は、平面視で野縁４０の左右のリップ部４１の間から外側にはみ出ている。すなわち、図１１（ａ）に示すように、下方へと移動された一対の引っ掛け部２３３は野縁４０の左右のリップ部４１に当接するため、それ以上の下方への移動が妨げられる。
【００７０】
第二固定具２００においては、一対の引っ掛け部２３３が野縁４０の左右のリップ部４１に当接した後も、さらに下方へと押し込まれる。これによって、図１１（ｂ）に示すように、第二固定具２００は、一対の引っ掛け部２３３によって野縁４０の左右のリップ部４１の間隔を押し広げながら（左右のリップ部４１を弾性変形させながら）下方へと移動される。
【００７１】
なお、第二固定具２００が下方へと移動される際には、当該第二固定具２００の取付部２４０の内側に、第一固定具１００の頂部１１０が徐々に嵌め込まれていく。第二固定具２００の取付部２４０は、第一固定具１００の頂部１１０によって押し広げられるように弾性変形しながら当該頂部１１０を受け入れる。こうして、第二固定具２００の取付部２４０が、第一固定具１００に対してそれ以上下方へと移動されなくなると（本実施形態においては、第二固定具２００の頂部２１０の下面に第一固定具１００の第一頂部１１１の上面が当接すると）、第二固定具２００が第一固定具１００に嵌め込まれた状態となる。このように、第二固定具２００は、第一固定具１００に嵌め込まれた状態になると、当該第一固定具１００を介して野縁受け３０に取り付けられる。
【００７２】
また、上述の如く、第二固定具２００が第一固定具１００に嵌め込まれた状態になった場合には、当該第二固定具２００の一対の引っ掛け部２３３が、野縁４０の内側に完全に侵入する。具体的には、第二固定具２００の一対の引っ掛け部２３３の上端部が、リップ部４１の返し部４１ａの下端部よりも下方へと移動される。これにより、図１１（ｃ）に示すように、弾性変形していた左右のリップ部４１の形状が復元され、当該リップ部４１の返し部４１ａが一対の引っ掛け部２３３の上方に位置される。
【００７３】
こうして、第二固定具２００においては、野縁受け３０に取り付けられる場合、第一固定具１００とは異なり、一対の引っ掛け部２３３を野縁４０の左右のリップ部４１に当接させた後、さらに下方へと押し込むことにより、第一固定具１００を介して野縁受け３０に取り付けられる。
【００７４】
このように、第二固定具２００を野縁受け３０に取り付ける場合、例えば第一固定具１００を野縁受け３０に取り付ける場合のように、折り曲げる等の作業が必要がなく、第二固定具２００をそのまま押し込むだけでよいため、施工性の向上を図ることができる。
【００７５】
また、第二固定具２００において、取付部２４０の下部は、下方へ向かうにつれ前後方向の間隔が徐々に大きくなるように形成される。これによって、第二固定具２００を野縁受け３０に取り付ける場合、取付部２４０の内側に第一固定具１００の頂部１１０を案内し易くすることができる。こうして、施工性の向上を図ることができる。
【００７６】
以下では、図２、図１２から図１６を用いて、固定具５０を用いて野縁４０が野縁受け３０に固定された場合の、当該固定具５０、野縁受け３０及び野縁４０の組み付け構成について詳細に説明する。
【００７７】
上述の如く、第一固定具１００においては、一対の引っ掛け部１２３の上端部を野縁４０のリップ部４１と当接させると共に、頂部１１０を当該野縁受け３０の上フランジ３２と当接させた状態で、頂部１１０が下方へ折り曲げられることによって、野縁受け３０に取り付けられている。このように、図１５（ａ）及び図１６に示すように、第一固定具１００は、一対の引っ掛け部１２３が野縁４０の左右のリップ部４１を下方から支持することによって、当該野縁４０を野縁受け３０に固定している。
【００７８】
これによれば、図１４から図１６に示すように、第一固定具１００の一対の引っ掛け部１２３と頂部１１０との間に、野縁４０（リップ部４１）及び野縁受け３０が互いに略隙間無く配置される。これによって、第一固定具１００と野縁受け３０と野縁４０とが互いに当接することにより相対移動不能であるため、例えば地震等が発生して天井が揺れた場合であっても、がたつきが発生するのを抑制することができる。
【００７９】
また、第一固定具１００の凸部１２２は、野縁受け３０（下フランジ３３の後端部）と前後方向に対向するよう配置される。凸部１２２は、側壁１２０から前方へ突出するように形成される。こうして、側壁１２０の凸部１２２は、野縁受け３０を前方へ向けて押圧している。また、第二固定具２００の凸部２３２は、野縁受け３０（下フランジ３３の前端部）と前後方向に対向するよう配置される。凸部２３２は、前側壁２３０から後方へ突出するように形成される。こうして、前側壁２３０の凸部２３２は、野縁受け３０を後方へ向けて押圧している。
【００８０】
こうして、第一固定具１００及び第二固定具２００においては、第一固定具１００の側壁１２０及び第二固定具２００の前側壁２３０によって野縁受け３０を前後方向の内側に挟持する。これによって、第一固定具１００及び第二固定具２００（固定具５０）が野縁受け３０から外れるのを効果的に抑制することができる。
【００８１】
また、本実施形態においては、第二固定具２００の取付部２４０は、弾性変形した状態（すなわち、第一固定具１００に対して取付部２４０の復元力が作用している状態）で当該第一固定具１００の側壁１２０の上部を受け入れている。これによって、例えば取付部２４０の復元力が作用していない状態と比べて、側壁１２０の凸部１２２が野縁受け３０を押圧する力をより強くさせることができる。すなわち、第一固定具１００及び第二固定具２００（固定具５０）が野縁受け３０から外れるのを効果的に抑制することができる。
【００８２】
なお、第二固定具２００においては、一対の引っ掛け部２３３が野縁４０のリップ部４１（返し部４１ａ）の下方に若干離間している。すなわち、第二固定具２００は、一対の引っ掛け部２３３において野縁４０に当接していない。これに対して、第一固定具１００は、一対の引っ掛け部１２３が野縁４０の左右のリップ部４１に下方から当接している。以下では、図１５から図１８を用いて、このような構成から得られる効果について説明する。
【００８３】
ここで、例えば地震が発生して天井が揺れると、野縁４０や野縁受け３０が意図せぬ動きをする場合がある。このような場合、固定具５０は、野縁４０や野縁受け３０の動きに耐え切れずに変形し、野縁受け３０から外れてしまうおそれがある。
【００８４】
本実施形態において、固定具５０（第一固定具１００及び第二固定具２００）が野縁受け３０に取り付けられた状態においては、第一固定具１００だけが野縁４０に当接している。そのため、例えば地震が発生して天井が揺れて、固定具５０が野縁４０等の動きに耐え切れなくなると、まず第一固定具１００が徐々に変形していく。こうして、第一固定具１００が徐々に変形していくと、当該変形に伴って野縁４０が第一固定具１００（野縁受け３０）に対して相対的に下方へと移動することとなる。
【００８５】
このように、野縁４０が第一固定具１００に対して相対的に下方へと移動すると、図１７及び図１８に示すように、野縁４０は、（第一固定具１００の一対の引っ掛け部１２３よりも下方に位置している）第二固定具２００の一対の引っ掛け部２３３に上方から当接することとなる。こうして、若干変形した第一固定具１００と合わさって、第二固定具２００は、一対の引っ掛け部２３３が野縁４０の左右のリップ部４１を下方から支持することができ、ひいては固定具５０が野縁受け３０から外れてしまうのを抑制することができる。
【００８６】
ここで、例えば第一固定具１００の一対の引っ掛け部１２３及び第二固定具２００の一対の引っ掛け部２３３が最初から野縁４０に当接している構成を想定すると、当該想定した構成は、本実施形態に係る構成と比べて、固定具５０の耐力及び剛性が高くなる。しかしながら、耐力及び剛性が共に高くなると、比較的小さな変形で野縁４０の破壊が発生してしまうおそれがある。
【００８７】
これに対して、本実施形態に係る構成においては、前記想定した構成と比べて、変形が開始された直後において第一固定具１００のみが変形する。しかしながら、図１９のように、第一固定具１００がある程度変形すると、直後に第二固定具２００が野縁４０に当接するため、第二固定具２００の変形が開始される。こうして、本実施形態に係る構成においては、変形が開始された直後において第一固定具１００のみが変形するようにし、第一固定具１００が耐力に到達する変形に至る前に第二固定具２００が野縁４０に当接するように隙間の距離を調整しておけば、剛性不変のまま耐力のみを高くすることができるため、固定具５０の変形能力が改善され、最終的には前記想定した構成と比べて、固定具５０が野縁受け３０から外れてしまうのを効果的に抑制することができる。
【００８８】
なお、図１９に記載のグラフは、固定具として、第一固定具１００のみを使用した場合と、第一固定具１００及び第二固定具２００を互いに隙間がある状態（すなわち、本実施形態に係る構成）で使用した場合と、第一固定具１００及び第二固定具２００を互いに隙間がない状態（すなわち、前記想定した構成）で使用した場合との、それぞれの場合における耐力及び変形の関係を示している。
【００８９】
また、本実施形態に係る構成においては、例えば第一固定具１００に相当する固定具を用いて野縁が野縁受けに固定されている既存の天井構造に対して、第二固定具２００を前記野縁受けに取り付けることができる。すなわち、既存の天井構造に対して、第二固定具２００を用いることによって、固定具５０が野縁受け３０から外れてしまうのを効果的に抑制することができる。
【００９０】
このように、第二固定具２００は、既設の第一固定具１００（第一固定具１００に相当する固定具）に対して、後付けできるものである。ここで、既設の第一固定具１００に対して第二固定具２００を後付けする場合、同時に取り付ける場合と比べて施工条件が低下していることが多く、作業者の作業が煩雑となることが想定される。しかしながら、第二固定具２００は、上方から押し込むことにより（簡易な作業により）取り付けられるため、施工条件が低下している場合であっても、作業者の作業が煩雑となるのを防止することができる。
【００９１】
また、第二固定具２００は、天井における必要な箇所だけに取り付けることができる。なお、必要な箇所とは、地震が発生して天井が揺れた場合に、他の箇所よりも固定具５０が野縁受け３０から外れ易い箇所のことを指す。具体的には、必要な箇所として、前記天井のうち壁際や、柱周り、空調機が設置している箇所近傍が想定される。こうして、第二固定具２００は必要な箇所だけに取り付けることにより、コスト削減を図ることができる。
【００９２】
以上のように、一実施形態に係る固定具５０を具備する天井構造１においては、
リップ部４１を有する野縁４０と、
前記野縁４０を上方から受ける野縁受け３０と、
前記野縁受け３０に取り付けられ、前記野縁４０を前記野縁受け３０に固定する固定具５０と、
を具備する天井構造であって、
前記固定具５０は、
互いに別体として構成される第一固定具１００及び第二固定具２００を有し、
前記第一固定具１００及び前記第二固定具２００は、
それぞれ前記リップ部４１を下方から支持するための支持部を有し、
前記第一固定具１００の引っ掛け部１２３（支持部）は、
前記リップ部４１と当接して設けられ、
前記第二固定具２００の引っ掛け部２３３（支持部）は、
前記リップ部４１の下方に前記リップ部４１から離間して設けられるものである。
【００９３】
このような構成により、野縁４０を野縁受け３０に固定する固定具５０が野縁受け３０から外れるのを抑制することができる。
より詳細には、地震等が発生して天井が揺れた場合に固定具５０が開くのを抑制できる。これによって、固定具５０が野縁受け３０から外れるのを抑制することができ、野縁４０や当該野縁４０に取り付けられる天井板（不図示）等が脱落するのを抑制できる。
【００９４】
また、天井構造１においては、
前記第一固定具１００及び前記第二固定具２００は、
それぞれ前記野縁受け３０に取り付けられるための取付部を有し、
前記第二固定具２００の取付部２４０は、
上方から嵌め込まれることにより、前記第一固定具１００の頂部１１０（取付部）を介して前記野縁受け３０に取り付けられるものである。
【００９５】
このような構成により、施工性を向上させることができる。
【００９６】
また、天井構造１においては、
前記第一固定具１００の引っ掛け部１２３（支持部）は、
前記第一固定具１００の取付部２４０の後側（前記野縁受け３０の幅方向の一側）から下方へ延びた側壁１２０（側板）の下部に設けられ、
前記第二固定具２００の引っ掛け部２３３（支持部）は、
前記第二固定具２００の頂部１１０（取付部）の前側（前記野縁受け３０の幅方向の他側）から下方へ延びた前側壁２３０（側板）の下部に設けられ、
前記第一固定具１００の側壁１２０（側板）及び前記第二固定具２００の前側壁２３０（側板）は、
前記野縁受け３０を前記野縁受け３０の幅方向内側に挟持するものである。
【００９７】
このような構成により、野縁４０を野縁受け３０に固定する固定具５０が野縁受け３０から外れるのを、より効果的に抑制することができる。
【００９８】
また、一実施形態に係る固定具５０においては、
野縁受け３０に取り付けられ、リップ部４１を有する野縁４０を前記野縁受け３０に固定する固定具５０であって、
互いに別体として構成される第一固定具１００及び第二固定具２００を有し、
前記第一固定具１００及び前記第二固定具２００は、
それぞれ前記リップ部４１を下方から支持するための支持部を有し、
前記第一固定具１００の引っ掛け部１２３（支持部）は、
前記リップ部４１と当接して設けられ、
前記第二固定具２００の引っ掛け部２３３（支持部）は、
前記リップ部４１の下方に前記リップ部４１から離間して設けられるものである。
【００９９】
このような構成により、野縁４０を野縁受け３０に固定する固定具５０が野縁受け３０から外れるのを抑制することができる。
【０１００】
なお、第一固定具１００の引っ掛け部１２３は、第一固定具の支持部の実施の一形態である。
また、第二固定具２００の引っ掛け部２３３は、第二固定具の支持部の実施の一形態である。
また、第二固定具２００の頂部１１０は、第二固定具の取付部の実施の一形態である。
また、前後方向は、野縁受けの幅方向の実施の一形態である。
【０１０１】
以上、一実施形態を説明したが、本発明は上記構成に限定されるものではなく、特許請求の範囲に記載された発明の範囲内で種々の変更が可能である。
【０１０２】
例えば、本実施形態において、野縁４０は、シングル野縁であるものとしたが、シングル野縁よりも左右方向幅が大きなダブル野縁であってもよい。
【０１０３】
また、本実施形態において、第一固定具１００の凸部１２２は、本実施形態のような正面視略トラック状に限定されるものではなく、任意の形状を選択することができる。凸部１２２は、例えば、正面視略矩形状や正面視略円状に形成されるものであってもよい。さらに、第一固定具１００の凸部１２２は、１つ設けられると共に長手方向を上下方向に向けて形成されたが、これに限定するものではない。例えば、凸部１２２は、２つ設けられると共に長手方向を左右方向に向けて形成し、かつ、２つの凸部１２２で野縁受け３０の下フランジ３３を挟持するように形成してもよい。このような構成により、第一固定具１００と野縁受け３０とのがたつきを効果的に抑制することができる。なお、第二固定具２００の凸部２３２も同様に構成することができる。
【０１０４】
また、本実施形態においては、第二固定具２００が第一固定具１００に嵌め込まれた状態とは、第二固定具２００の頂部２１０の下面に第一固定具１００の第一頂部１１１の上面が当接した状態としたが、これに限定するものではない。第二固定具２００が第一固定具１００に嵌め込まれた状態とは、第二固定具２００の頂部２１０の下面に第一固定具１００の第一頂部１１１の上面が当接していなくとも、第二固定具２００の取付部２４０の内側に第一固定具１００がそれ以上侵入できない状態であればよい。
【０１０５】
また、第二固定具２００の取付部２４０及び支持部（引っ掛け部２３３）の構成（例えば形状や大きさ等）は、本実施形態のような構成に限定されるものではなく、任意の構成を選択することができる。また同様に、第一固定具１００の取付部（頂部１１０）及び支持部（引っ掛け部１２３）の構成（例えば形状や大きさ等）は、本実施形態のような構成に限定されるものではなく、任意の構成を選択することができる。
【０１０６】
以下では、図２０を用いて、別実施形態に係る第一固定具５００の構成について説明する。
【０１０７】
図２０に示す第一固定具５００は、一般的に市販されているものである。第一固定具５００は、頂部５１０及び側壁５２０を具備する。なお、図２０においては、変形前（取り付け前）の第一固定具５００の構成を示している。
【０１０８】
頂部５１０は、第一固定具５００の上端部に形成される部分である。頂部５１０は、第一頂部５１１、第二頂部５１２及び切欠部５１３を具備する。
【０１０９】
第一頂部５１１及び第二頂部５１２は、第一実施形態に係る第一固定具１００の第一頂部１１１及び第二頂部１１２と、それぞれ略同様に構成される。
【０１１０】
切欠部５１３は、頂部５１０を切り欠いたように形成された部分である。切欠部５１３は、頂部５１０の前端部から後方へ延びるように形成される。切欠部５１３の後端部は、第一頂部５１１と第二頂部５１２との境界よりも第一頂部５１１側（後方）に位置している。このような切欠部５１３によって、第一固定具５００が野縁受け３０に取り付けられる場合、頂部５１０が折り曲げられ易くなっている。
【０１１１】
側壁５２０は、第一固定具５００のうち、頂部５１０以外の部分である。側壁５２０は、切欠部５２１、凸部５２２及び引っ掛け部５２３を具備する。
【０１１２】
切欠部５２１は、側壁５２０を切り欠いたように形成された部分である。切欠部５２１は、側壁５２０の下端部近傍に形成される。切欠部５２１は、側壁５２０に左右一対形成される。
【０１１３】
凸部５２２は、側壁５２０から前方へ突出する部分である。凸部５２２は、側壁５２０の略全面に亘って、当該側壁５２０を前方に凹ませることで形成される。凸部５２２の上端部は、切欠部５２１の上端部よりも上方に形成される。また、凸部５２２の下端部は、切欠部５２１の下端部と上下方向の位置が略同一となるように形成される。
【０１１４】
引っ掛け部５２３は、野縁４０のリップ部４１に引っ掛け可能な部分である。引っ掛け部５２３は、野縁４０のリップ部４１を下方から支持する。引っ掛け部５２３は、側壁５２０の左下端部及び右下端部に形成される。より詳細には、引っ掛け部５２３は、側壁５２０の下端部うち、切欠部５２１によって切り欠かれた残りの部分である。切欠部５２１の外縁部は、前方へ折り曲げられている。こうして、引っ掛け部５２３は、折り曲げられた角部を有することにより、剛性が高くなるように形成される。
【０１１５】
このように、本発明に係る第一固定具としては、一般的に市販されているものであってもよく、例えば一般的に市販されている第一固定具５００を用いて野縁が野縁受けに固定されている既存の天井構造に対しても、第二固定具２００を野縁受けに取り付けることができる。このように、本発明に係る第一固定具としては、種々の構成を採用することができ、例えば上述の如き第一実施形態に係る第一固定具１００と別実施形態に係る第一固定具５００とを組み合わせた構成とすることもできる。
【符号の説明】
【０１１６】
１      天井構造
３０    野縁受け
４０    野縁
４１    リップ部
５０    固定具
１００  第一固定具
１２３  引っ掛け部
２００  第二固定具
２３３  引っ掛け部
【図１】
2019065491.tif 000003
【図２】
2019065491.tif 000004
【図３】
2019065491.tif 000005
【図４】
2019065491.tif 000006
【図５】
2019065491.tif 000007
【図６】
2019065491.tif 000008
【図７】
2019065491.tif 000009
【図８】
2019065491.tif 000010
【図９】
2019065491.tif 000011
【図１０】
2019065491.tif 000012
【図１１】
2019065491.tif 000013
【図１２】
2019065491.tif 000014
【図１３】
2019065491.tif 000015
【図１４】
2019065491.tif 000016
【図１５】
2019065491.tif 000017
【図１６】
2019065491.tif 000018
【図１７】
2019065491.tif 000019
【図１８】
2019065491.tif 000020
【図１９】
2019065491.tif 000021
【図２０】
2019065491.tif 000022